(57)【要約】【課題】  物品と物品の交換に関する情報を一括管理できるようにすることを目的としている。【解決手段】  課題を解決するための交換システムは、識別情報を具備した交換の対象物と、交換の対象物の情報を読み込む読込手段と、情報を記憶する記憶手段と、情報を処理する処理手段と、からなる、交換システムであって、処理手段が、読込手段を用いて、交換の対象物の第１識別情報を読み込むステップと、読み込んだ第１識別情報を基に、記憶手段から利用期限情報を抽出するステップと、抽出した利用期限情報を基に交換対象か判別するステップと、交換の対象物の第２識別情報を読み込むステップと、読み込んだ第２識別情報を抽出した利用期限情報と関連付けて記憶手段に記憶するステップと、を実行できることを特徴としている。【選択図】なし【特許請求の範囲】
【請求項１】
識別情報を具備した交換の対象物と、
交換の対象物の情報を読み込む読込手段と、
情報を記憶する記憶手段と、
情報を処理する処理手段と、
からなる、交換システムであって、
処理手段が、
読込手段を用いて、交換の対象物の第１識別情報を読み込むステップと、
読み込んだ第１識別情報を基に、記憶手段から利用期限情報を抽出するステップと、
抽出した利用期限情報を基に交換対象か判別するステップと、
交換の対象物の第２識別情報を読み込むステップと、
読み込んだ第２識別情報を抽出した利用期限情報と関連付けて記憶手段に記憶するステップと、
を実行できることを特徴とする、交換システム。
【請求項２】
識別情報を具備したニ次電池と、
ニ次電池の情報を読み込む読込手段と、
情報を記憶する記憶手段と、
情報を処理する処理手段と、
からなる、交換システムであって、
処理手段が、
読込手段を用いて、ニ次電池の第１識別情報を読み込むステップと、
読み込んだ第１識別情報を基に、記憶手段から利用期限情報を抽出するステップと、
抽出した利用期限情報を基に交換対象か判別するステップと、
ニ次電池の第２識別情報を読み込むステップと、
読み込んだ第２識別情報を抽出した利用期限情報と関連付けて記憶手段に記憶するステップと、
を実行できることを特徴とする、交換システム。
【請求項３】
情報を記憶する記憶手段を具備した交換の対象物と、
交換の対象物の記憶手段の情報を読み込む読込手段と、
交換の対象物の記憶手段に情報を書き込む書込手段と、
情報を処理する処理手段と、
からなる、交換システムであって、
処理手段が、
読込手段を用いて、交換の対象物の記憶手段から、交換に関する情報としての交換情報を読み込むステップと、
読み込んだ交換情報が、新規であることを示す情報であるかを判別するステップと、
判別の結果、読み込んだ交換情報が、新規であることを示す情報であった場合、利用期限情報を交換の対象物の記憶手段に書き込むステップと、
を実行できることを特徴とする、交換システム。
【請求項４】
情報を記憶する記憶手段を具備したニ次電池と、
ニ次電池の記憶手段の情報を読み込む読込手段と、
ニ次電池の記憶手段に情報を書き込む書込手段と、
情報を処理する処理手段と、
からなる、交換システムであって、
処理手段が、
読込手段を用いて、ニ次電池の記憶手段から、交換に関する情報としての交換情報を読み込むステップと、
読み込んだ交換情報が、新規であることを示す情報であるかを判別するステップと、
判別の結果、読み込んだ交換情報が新規であることを示す情報であった場合、利用期限情報をニ次電池の記憶手段に書き込むステップと、
を実行できることを特徴とする、交換システム。
【請求項５】
情報を記憶する記憶手段を具備した交換の対象物と、
交換の対象物の情報を読み込む読込手段と、
情報を記憶する記憶手段と、
情報を処理する処理手段と、
からなる、交換システムであって、
処理手段が、
読込手段を用いて、交換の対象物から、交換に関する情報としての交換情報を読み込むステップと、
読み込んだ交換情報が、新規であることを示す情報であるかを判別するステップと、
判別の結果、読み込んだ交換情報が新規であることを示す情報であった場合、利用期限情報を設定するステップと、
読込手段を用いて、交換の対象物の第２識別情報を読み込むステップと、
読み込んだ第２識別情報と、設定した利用期限情報と、を関連付けて、記憶手段に記憶するステップと、
を実行できることを特徴とする、交換システム。
【請求項６】
情報を記憶する記憶手段を具備したニ次電池と、
ニ次電池の情報を読み込む読込手段と、
情報を記憶する記憶手段と、
情報を処理する処理手段と、
からなる、交換システムであって、
処理手段が、
読込手段を用いて、ニ次電池から、交換に関する情報としての交換情報を読み込むステップと、
読み込んだ交換情報が、新規であることを示す情報であるかを判別するステップと、
判別の結果、読み込んだ交換情報が新規であることを示す情報であった場合、利用期限情報を設定するステップと、
読込手段を用いて、ニ次電池の第２識別情報を読み込むステップと、
読み込んだ第２識別情報と、設定した利用期限情報と、を関連付けて、記憶手段に記憶するステップと、
を実行できることを特徴とする、交換システム。
【請求項７】
識別情報を具備した交換の対象物と、
交換の対象物の情報を読み込む読込手段と、
情報を記憶する記憶手段と、
情報を処理する処理手段と、
からなる、交換システムを用いた交換方法であって、
処理手段が、
読込手段を用いて、交換の対象物の第１識別情報を読み込むステップと、
読み込んだ第１識別情報を基に、記憶手段から利用期限情報を抽出するステップと、
抽出した利用期限情報を基に交換対象か判別するステップと、
読込手段を用いて、交換の対象物の第２識別情報を読み込むステップと、
読み込んだ第２識別情報を抽出した利用期限情報と関連付けて、記憶手段に記憶するステップと、
を実行できることを特徴とする、交換方法。
【請求項８】
識別情報を具備したニ次電池と、
ニ次電池の情報を読み込む読込手段と、
情報を記憶する記憶手段と、
情報を処理する処理手段と、
からなる、交換システムを用いた交換方法であって、
処理手段が、
読込手段を用いて、ニ次電池の第１識別情報を読み込むステップと、
読み込んだ第１識別情報を基に、記憶手段から利用期限情報を抽出するステップと、
抽出した利用期限情報を基に交換対象か判別するステップと、
読込手段を用いて、ニ次電池の第２識別情報を読み込むステップと、
読み込んだ第２識別情報を抽出した利用期限情報と関連付けて、記憶手段に記憶するステップと、
を実行できることを特徴とする、交換方法。
【請求項９】
情報を記憶する記憶手段を具備した交換の対象物と、
交換の対象物の記憶手段の情報を読み込む読込手段と、
交換の対象物の記憶手段に情報を書き込む書込手段と、
情報を記憶する記憶手段と、
情報を処理する処理手段と、
からなる、交換システムを用いた交換方法であって、
処理手段が、
読込手段を用いて、交換の対象物の記憶手段から、交換に関する情報としての交換情報を読み込むステップと、
読み込んだ交換情報が、新規であることを示す情報であるかを判別するステップと、
判別の結果、読み込んだ交換情報が、新規であることを示す情報であった場合、利用期限情報を交換の対象物に書き込むステップと、
を実行できることを特徴とする、交換方法。
【請求項１０】
情報を記憶する記憶手段を具備したニ次電池と、
ニ次電池の記憶手段の情報を読み込む読込手段と、
ニ次電池の記憶手段に情報を書き込む書込手段と、
情報を記憶する記憶手段と、
情報を処理する処理手段と、
からなる、交換システムを用いた交換方法であって、
処理手段が、
読込手段を用いて、ニ次電池の記憶手段から、交換に関する情報としての交換情報を読み込むステップと、
読み込んだ交換情報が、新規であることを示す情報であるかを判別するステップと、
判別の結果、読み込んだ交換情報が新規であることを示す情報であった場合、利用期限情報をニ次電池に書き込むステップと、
を実行できることを特徴とする、交換方法。
【請求項１１】
情報を記憶する記憶手段を具備した交換の対象物と、
交換の対象物の情報を読み込む読込手段と、
情報を記憶する記憶手段と、
情報を処理する処理手段と、
からなる、交換システムを用いた交換方法であって、
処理手段が、
読込手段を用いて、交換の対象物から、交換に関する情報としての交換情報を読み込むステップと、
読み込んだ交換情報が、新規であることを示す情報であるかを判別するステップと、
判別の結果、読み込んだ交換情報が新規であることを示す情報であった場合、利用期限情報を設定するステップと、
読込手段を用いて、交換の対象物の第２識別情報を読み込むステップと、
読み込んだ第２識別情報と、設定した利用期限情報と、を関連付けて、記憶手段に記憶するステップと、
を実行できることを特徴とする、交換方法。
【請求項１２】
情報を記憶する記憶手段を具備したニ次電池と、
ニ次電池の情報を読み込む読込手段と、
情報を記憶する記憶手段と、
情報を処理する処理手段と、
からなる、交換システムを用いた交換方法であって、
処理手段が、
読込手段を用いて、ニ次電池から、交換に関する情報としての交換情報を読み込むステップと、
読み込んだ交換情報が、新規であることを示す情報であるかを判別するステップと、
判別の結果、読み込んだ交換情報が新規であることを示す情報であった場合、利用期限情報を設定するステップと、
読込手段を用いて、ニ次電池の第２識別情報を読み込むステップと、
読み込んだ第２識別情報と、設定した利用期限情報と、を関連付けて、記憶手段に記憶するステップと、
を実行できることを特徴とする、交換方法。
【請求項１３】
交換情報として新規であることを示す情報を記憶させた記憶手段、を具備した交換の対象物を貸し出す貸出手段と、
交換の対象物の記憶手段の情報を読み込む読込手段と、
交換の対象物の記憶手段に情報を書き込む書込手段と、
情報を処理する処理手段と、
からなる、交換システムを用いた交換方法であって、
処理手段が、
読込手段を用いて、交換の対象物の記憶手段から、交換に関する情報としての交換情報を読み込むステップと、
読み込んだ交換情報が、新規であることを示す情報であるかを判別するステップと、
判別の結果、読み込んだ交換情報が、新規であることを示す情報であった場合、利用期限情報を交換の対象物に書き込むステップと、
を実行できることを特徴とする、交換方法。
【請求項１４】
交換情報として新規であることを示す情報を記憶させた記憶手段、を具備したニ次電池を貸し出す貸出手段と、
ニ次電池の記憶手段の情報を読み込む読込手段と、
ニ次電池の記憶手段に情報を書き込む書込手段と、
情報を処理する処理手段と、
からなる、交換システムを用いた交換方法であって、
処理手段が、
読込手段を用いて、ニ次電池の記憶手段から、交換に関する情報としての交換情報を読み込むステップと、
読み込んだ交換情報が、新規であることを示す情報であるかを判別するステップと、
判別の結果、読み込んだ交換情報が新規であることを示す情報であった場合、利用期限情報をニ次電池に書き込むステップと、
を実行できることを特徴とする、交換方法。
【請求項１５】
交換情報として新規であることを示す情報を記憶させた記憶手段、を具備した交換の対象物を貸し出す貸出手段と、
交換の対象物の情報を読み込む読込手段と、
情報を記憶する記憶手段と、
情報を処理する処理手段と、
からなる、交換システムを用いた交換方法であって、
処理手段が、
読込手段を用いて、交換の対象物から、交換に関する情報としての交換情報を読み込むステップと、
読み込んだ情報が、新規であることを示す情報であるかを判別するステップと、
判別の結果、読み込んだ交換情報が新規であることを示す情報であった場合、利用期限情報を設定するステップと、
読込手段を用いて、交換の対象物の第２識別情報を読み込むステップと、
読み込んだ第２識別情報と、設定した利用期限情報と、を関連付けて、記憶手段に記憶するステップと、
を実行できることを特徴とする、交換方法。
【請求項１６】
交換情報として新規であることを示す情報を記憶させた記憶手段、を具備したニ次電池を貸し出す貸出手段と、
ニ次電池の情報を読み込む読込手段と、
情報を記憶する記憶手段と、
情報を処理する処理手段と、
からなる、交換システムを用いた交換方法であって、
処理手段が、
読込手段を用いて、ニ次電池から、交換に関する情報としての交換情報を読み込むステップと、
読み込んだ情報が、新規であることを示す情報であるかを判別するステップと、
判別の結果、読み込んだ交換情報が新規であることを示す情報であった場合、利用期限情報を設定するステップと、
読込手段を用いて、ニ次電池の第２識別情報を読み込むステップと、
読み込んだ第２識別情報と、設定した利用期限情報と、を関連付けて、記憶手段に記憶するステップと、
を実行できることを特徴とする、交換方法。
【発明の詳細な説明】
【技術分野】
【０００１】本発明は、物品と物品とを交換する交換システムに関するものである。
【背景技術】
【０００２】物品の交換やニ次電池の交換を行うための交換システムがある。例えば特許文献１のような交換システムがある。
【先行技術文献】
【特許文献】
【０００３】
【特許文献１】特願２０１１−０５９８７１
【発明の概要】
【発明が解決しようとする課題】
【０００４】本発明の交換システムは交換に関する情報を一括管理できるようにすることを目的としている。【０００５】本発明の交換システムは、交換システムの新規利用者（特許文献１のような交換システムの新規利用者含む）の初回交換の手続きを容易にすることを目的としている。【０００６】本発明の交換システムは、交換システムの新規利用者（特許文献１のような交換システムの新規利用者含む）向けの物品（交換の対象物）の貸し出しを容易にすることを目的としている。
【課題を解決するための手段】
【０００７】課題を解決するための請求項１記載の交換システムは、識別情報を具備した交換の対象物と、交換の対象物の情報を読み込む読込手段と、情報を記憶する記憶手段と、情報を処理する処理手段と、からなる、交換システムであって、処理手段が、読込手段を用いて、交換の対象物の第１識別情報を読み込むステップと、読み込んだ第１識別情報を基に、記憶手段から利用期限情報を抽出するステップと、抽出した利用期限情報を基に交換対象か判別するステップと、交換の対象物の第２識別情報を読み込むステップと、読み込んだ第２識別情報を抽出した利用期限情報と関連付けて記憶手段に記憶するステップと、を実行できることを特徴としている。【０００８】課題を解決するための請求項２記載の交換システムは、識別情報を具備したニ次電池と、ニ次電池の情報を読み込む読込手段と、情報を記憶する記憶手段と、情報を処理する処理手段と、からなる、交換システムであって、処理手段が、読込手段を用いて、ニ次電池の第１識別情報を読み込むステップと、読み込んだ第１識別情報を基に、記憶手段から利用期限情報を抽出するステップと、抽出した利用期限情報を基に交換対象か判別するステップと、ニ次電池の第２識別情報を読み込むステップと、読み込んだ第２識別情報を抽出した利用期限情報と関連付けて記憶手段に記憶するステップと、を実行できることを特徴としている。【０００９】課題を解決するための請求項３記載の交換システムは、情報を記憶する記憶手段を具備した交換の対象物と、交換の対象物の記憶手段の情報を読み込む読込手段と、交換の対象物の記憶手段に情報を書き込む書込手段と、情報を処理する処理手段と、からなる、交換システムであって、処理手段が、読込手段を用いて、交換の対象物の記憶手段から、交換に関する情報としての交換情報を読み込むステップと、読み込んだ交換情報が、新規であることを示す情報であるかを判別するステップと、判別の結果、読み込んだ交換情報が、新規であることを示す情報であった場合、利用期限情報を交換の対象物の記憶手段に書き込むステップと、を実行できることを特徴としている。【００１０】課題を解決するための請求項４記載の交換システムは、情報を記憶する記憶手段を具備したニ次電池と、ニ次電池の記憶手段の情報を読み込む読込手段と、ニ次電池の記憶手段に情報を書き込む書込手段と、情報を処理する処理手段と、からなる、交換システムであって、処理手段が、読込手段を用いて、ニ次電池の記憶手段から、交換に関する情報としての交換情報を読み込むステップと、読み込んだ交換情報が、新規であることを示す情報であるかを判別するステップと、判別の結果、読み込んだ交換情報が新規であることを示す情報であった場合、利用期限情報をニ次電池の記憶手段に書き込むステップと、を実行できることを特徴としている。【００１１】課題を解決するための請求項５記載の交換システムは、識別情報を具備した交換の対象物と、交換の対象物の情報を読み込む読込手段と、情報を記憶する記憶手段と、情報を処理する処理手段と、からなる、交換システムであって、処理手段が、読込手段を用いて、交換の対象物から、交換に関する情報としての交換情報を読み込むステップと、読み込んだ情報が、新規であることを示す情報であるかを判別するステップと、判別の結果、読み込んだ交換情報が新規であることを示す情報であった場合、利用期限情報を設定するステップと、読込手段を用いて、交換の対象物の第２識別情報を読み込むステップと、読み込んだ第２識別情報と、設定した利用期限情報と、を関連付けて、記憶手段に記憶するステップと、を実行できることを特徴としている。【００１２】課題を解決するための請求項６記載の交換システムは、識別情報を具備したニ次電池と、ニ次電池の情報を読み込む読込手段と、情報を記憶する記憶手段と、情報を処理する処理手段と、からなる、交換システムであって、処理手段が、読込手段を用いて、ニ次電池から、交換に関する情報としての交換情報を読み込むステップと、読み込んだ情報が、新規であることを示す情報であるかを判別するステップと、判別の結果、読み込んだ交換情報が新規であることを示す情報であった場合、利用期限情報を設定するステップと、読込手段を用いて、ニ次電池の第２識別情報を読み込むステップと、読み込んだ第２識別情報と、設定した利用期限情報と、を関連付けて、記憶手段に記憶するステップと、を実行できることを特徴としている。【００１３】課題を解決するための請求項７記載の交換方法は、識別情報を具備した交換の対象物と、交換の対象物の情報を読み込む読込手段と、情報を記憶する記憶手段と、情報を処理する処理手段と、からなる、交換システムを用いた交換方法であって、処理手段が、読込手段を用いて、交換の対象物の第１識別情報を読み込むステップと、読み込んだ第１識別情報を基に、記憶手段から利用期限情報を抽出するステップと、抽出した利用期限情報を基に交換対象か判別するステップと、読込手段を用いて、交換の対象物の第２識別情報を読み込むステップと、読み込んだ第２識別情報を抽出した利用期限情報と関連付けて、記憶手段に記憶するステップと、を実行できることを特徴としている。【００１４】課題を解決するための請求項８記載の交換方法は、識別情報を具備したニ次電池と、ニ次電池の情報を読み込む読込手段と、情報を記憶する記憶手段と、情報を処理する処理手段と、からなる、交換システムを用いた交換方法であって、処理手段が、読込手段を用いて、ニ次電池の第１識別情報を読み込むステップと、読み込んだ第１識別情報を基に、記憶手段から利用期限情報を抽出するステップと、抽出した利用期限情報を基に交換対象か判別するステップと、読込手段を用いて、ニ次電池の第２識別情報を読み込むステップと、読み込んだ第２識別情報を抽出した利用期限情報と関連付けて、記憶手段に記憶するステップと、を実行できることを特徴としている。【００１５】課題を解決するための請求項９記載の交換方法は、情報を記憶する記憶手段を具備した交換の対象物と、交換の対象物の記憶手段の情報を読み込む読込手段と、交換の対象物の記憶手段に情報を書き込む書込手段と、情報を処理する処理手段と、からなる、交換システムを用いた交換方法であって、処理手段が、読込手段を用いて、交換の対象物の記憶手段から、交換に関する情報としての交換情報を読み込むステップと、読み込んだ交換情報が、新規であることを示す情報であるかを判別するステップと、判別の結果、読み込んだ交換情報が、新規であることを示す情報であった場合、利用期限情報を交換の対象物に書き込むステップと、を実行できることを特徴としている。【００１６】課題を解決するための請求項１０記載の交換方法は、情報を記憶する記憶手段を具備したニ次電池と、ニ次電池の記憶手段の情報を読み込む読込手段と、ニ次電池の記憶手段に情報を書き込む書込手段と、情報を処理する処理手段と、からなる、交換システムを用いた交換方法であって、処理手段が、読込手段を用いて、ニ次電池の記憶手段から、交換に関する情報としての交換情報を読み込むステップと、読み込んだ交換情報が、新規であることを示す情報であるかを判別するステップと、判別の結果、読み込んだ交換情報が新規であることを示す情報であった場合、利用期限情報をニ次電池に書き込むステップと、を実行できることを特徴としている。【００１７】課題を解決するための請求項１１記載の交換方法は、情報を記憶する記憶手段を具備した交換の対象物と、交換の対象物の情報を読み込む読込手段と、情報を記憶する記憶手段と、情報を処理する処理手段と、からなる、交換システムを用いた交換方法であって、処理手段が、読込手段を用いて、交換の対象物から、交換に関する情報としての交換情報を読み込むステップと、読み込んだ情報が、新規であることを示す情報であるかを判別するステップと、判別の結果、読み込んだ交換情報が新規であることを示す情報であった場合、利用期限情報を設定するステップと、読込手段を用いて、交換の対象物の第２識別情報を読み込むステップと、読み込んだ第２識別情報と、設定した利用期限情報と、を関連付けて、記憶手段に記憶するステップと、を実行できることを特徴としている。【００１８】課題を解決するための請求項１２記載の交換方法は、情報を記憶する記憶手段を具備したニ次電池と、ニ次電池の情報を読み込む読込手段と、情報を記憶する記憶手段と、情報を処理する処理手段と、からなる、交換システムを用いた交換方法であって、処理手段が、読込手段を用いて、ニ次電池から、交換に関する情報としての交換情報を読み込むステップと、読み込んだ情報が、新規であることを示す情報であるかを判別するステップと、判別の結果、読み込んだ交換情報が新規であることを示す情報であった場合、利用期限情報を設定するステップと、読込手段を用いて、ニ次電池の第２識別情報を読み込むステップと、読み込んだ第２識別情報と、設定した利用期限情報と、を関連付けて、記憶手段に記憶するステップと、を実行できることを特徴としている。【００１９】課題を解決するための請求項１３記載の交換方法は、交換情報として新規であることを示す情報を記憶させた記憶手段、を具備した交換の対象物を貸し出す貸出手段と、交換の対象物の記憶手段の情報を読み込む読込手段と、交換の対象物の記憶手段に情報を書き込む書込手段と、情報を処理する処理手段と、からなる、交換システムを用いた交換方法であって、処理手段が、読込手段を用いて、交換の対象物の記憶手段から、交換に関する情報としての交換情報を読み込むステップと、読み込んだ交換情報が、新規であることを示す情報であるかを判別するステップと、判別の結果、読み込んだ交換情報が、新規であることを示す情報であった場合、利用期限情報を交換の対象物に書き込むステップと、を実行できることを特徴としている。【００２０】課題を解決するための請求項１４記載の交換方法は、交換情報として新規であることを示す情報を記憶させた記憶手段、を具備したニ次電池を貸し出す貸出手段と、ニ次電池の記憶手段の情報を読み込む読込手段と、ニ次電池の記憶手段に情報を書き込む書込手段と、情報を処理する処理手段と、からなる、交換システムを用いた交換方法であって、処理手段が、読込手段を用いて、ニ次電池の記憶手段から、交換に関する情報としての交換情報を読み込むステップと、読み込んだ交換情報が、新規であることを示す情報であるかを判別するステップと、判別の結果読み込んだ交換情報が新規であることを示す情報であった場合、利用期限情報をニ次電池に書き込むステップと、を実行できることを特徴としている。【００２１】課題を解決するための請求項１５記載の交換方法は、交換情報として、新規であることを示す情報を記憶させた記憶手段、を具備した交換の対象物を貸し出す貸出手段と、交換の対象物の情報を読み込む読込手段と、情報を記憶する記憶手段と、情報を処理する処理手段と、からなる、交換システムを用いた交換方法であって、処理手段が、読込手段を用いて、交換の対象物から、交換に関する情報としての交換情報を読み込むステップと、読み込んだ情報が、新規であることを示す情報であるかを判別するステップと、判別の結果、読み込んだ交換情報が新規であることを示す情報であった場合、利用期限情報を設定するステップと、読込手段を用いて、交換の対象物の第２識別情報を読み込むステップと、読み込んだ第２識別情報と、設定した利用期限情報と、を関連付けて、記憶手段に記憶するステップと、を実行できることを特徴としている。【００２２】課題を解決するための請求項１６記載の交換方法は、交換情報として、新規であることを示す情報とを記憶させた記憶手段、を具備したニ次電池を貸し出す貸出手段と、ニ次電池の情報を読み込む読込手段と、情報を記憶する記憶手段と、情報を処理する処理手段と、からなる、交換システムを用いた交換方法であって、処理手段が、読込手段を用いて、ニ次電池から、交換に関する情報としての交換情報を読み込むステップと、読み込んだ情報が、新規であることを示す情報であるかを判別するステップと、判別の結果、読み込んだ交換情報が新規であることを示す情報であった場合、利用期限情報を設定するステップと、読込手段を用いて、ニ次電池の第２識別情報を読み込むステップと、読み込んだ第２識別情報と、設定した利用期限情報と、を関連付けて、記憶手段に記憶するステップと、を実行できることを特徴としている。
【発明の効果】
【００２３】上述のように本発明の交換システムは、交換により利用者に渡す方の物品（ニ次電池含む）の識別情報と、利用期限情報と、を関連付けて記憶することができ、交換に関する情報を一括管理することができる。【００２４】上述のように本発明の交換システムは、新規であるかの判別と、新規であった場合の利用期限情報の書込みを自動で行うことができ、交換システムの新規利用者（特許文献１のような交換システムの新規利用者含む）の初回交換の手続きを容易にすることができる。【００２５】上述のように本発明の交換システムは貸出手段を備え、交換システムの新規利用者（特許文献１のような交換システムの新規利用者含む）向けの物品（交換の対象物）の貸出しを容易に行うことができる。
【発明を実施するための形態】
【００２６】交換情報を具備した交換の対象物と、交換の対象物の情報を読み込むための読込手段と、情報を記憶するための記憶手段と、情報を処理するための処理手段と、から、物品の交換システムを構成する。各手段をネットワークで接続して一つの交換システムとなるように構成したり、各手段を一つの装置となるように接続し交換システムを装置として構成したり、すればよく、各手段を接続し一つとする方法は周知の方法が多くあり、詳細な説明を省略するが、例えば、コンピュータ（パソコン）とサーバー、コンピュータ（パソコン）と周辺機器、のような物や方法がある。
【００２７】交換システムのうち、交換の対象物は交換システムを利用する側に渡す物であり、書込手段と、読込手段と、処理手段と、記憶手段と、は関連性をもつ手段として、交換システムを管理する側が所持もしくは設置するものである。
【００２８】処理手段は、情報の処理を行える物から最適な物を用いればよい。例えば、周知のものとして、プロセッサ、処理装置、ＣＰＵ（処理／制御／演算装置）、ＭＰＵ（処理／制御／演算装置）、マイクロコントローラなどがあり、この限りではない。交換の対象物に具備する記憶手段が情報の処理能力を備える場合には、交換の対象物に具備する記憶手段が情報の処理手段を兼ねてもよい。
【００２９】処理手段が処理や判別を行う為のプログラムは交換の対象物に具備する記憶手段に記憶しておいてもよいし、書込手段、読込手段、処理手段、の少なくとも１つに記憶手段を具備し記憶してもよいし、交換の対象物に具備する記憶手段、書込手段、読込手段、処理手段、とは別に記憶手段を交換システムに加え記憶してもよい。
【００３０】記憶手段は、情報を記憶できる物から最適な物を用いればよい。例えば、半導体による記憶手段や、磁気による記憶手段や、光学による記憶手段などがあり、情報を記憶できれば良くこの限りではない。周知の物として例えば、メモリ、記憶装置、ＩＣチップ、フラッシュメモリ、磁気メモリ、磁気記憶装置、ホログラフィックメモリ、分子メモリなどがありこの限りではない。
【００３１】交換の対象物に記憶手段を具備する際は着脱不可能とすることが望ましいが、直脱可能でもよい。記憶手段を具備する方法としては、着脱不可能とする場合は交換の対象物自体がもつ性能を失わないように、交換の対象物に埋設し着脱不可能としたり、交換の対象物に接着し着脱不可能としたり、交換の対象物の包装の一部とし着脱不可能としたり、すればよくこの限りではなく記憶手段を着脱不可能な状態で具備できればよい、着脱可能とする場合は、交換の対象物にケースを具備するようにし、ケースに記憶手段を、埋設したり、接着したり、することで着脱可能としたり、交換の対象物に記憶手段の設置部を設け着脱可能としたり、すればよくこの限りではなく記憶手段を着脱可能な状態で具備できればよい。
【００３２】交換の対象物に具備する記憶手段には、新規であることを示す情報、利用期限情報、識別情報、などの交換に関する情報である交換情報を記憶する。
【００３３】新規であることを示す情報は、交換システムの新規利用者であることを示す情報である。例えば、新規であることを示す識別子やコードを決めておいたり、交換システムの交換対象であることを示す情報として識別子やコードを決めておき交換システムの交換対象であることを示す情報のみが記憶されている場合新規であると決めておいたり、すればよく、交換システムの処理手段が新規であると判別することができる情報であればよく、この限りではない。
【００３４】利用期限情報は交換システムを利用できる期限の事である。例えば、交換システムの利用を開始した日を開始日、交換システムを利用できる期間の終了日を終了日、交換システムを利用できる日数を日数とすると、利用期限情報は、開始日と終了日を関連付けたものや、終了日や、開始日と日数を関連付けたものや、などである、ただしこの限りではなく交換システムを利用できる期限に関するものであればよい。またこのときの開始日、終了日、日数、は時や分や秒などの時間の単位などでより細かく設定してもよい。
【００３５】利用期限情報は例えば、令和元年（２０１９年）６月２０日０時００分から令和元年６月２８日０時００分までを利用期限とする場合は、開始日は令和元年６月２０日０時００分となり、終了日は令和元年６月２８日０時００分となり、日数は８日となる。
【００３６】新規であることを示す情報を読み込んだ場合に利用期限情報を設定する場合は、予め利用期限情報の設定条件を決めておき、新規であることを示す情報を読み込んだ際に利用期限情報を自動で設定できるようにしておくことが望ましい。例えば、利用期限情報の設定条件を新規であることを判別した時から８日間利用可能のように決めておく、この場合、例えば令和元年６月２０日０時００分に新規であることを判別した場合、利用期限情報は、開始日は令和元年６月２０日０時００分となり、終了日は令和元年６月２８日０時００分となり、日数は８日となる。
【００３７】識別情報は交換の対象物を識別するための物であり、交換の対象物一つ毎にそれぞれ固有の識別情報を設定し具備する。識別情報は例えば、周知の物としてある識別子のような識別を可能とするものであればよく、この限りではない。
【００３８】識別情報を交換の対象物に具備する方法としては、交換の対象物自体がもつ性能を失わないように、交換の対象物に記憶手段を埋設し記憶手段に識別情報を記憶したり、交換の対象物に記憶手段を接着し記憶手段に識別情報を記憶したり、交換の対象物の包装の一部として記憶手段を具備し記憶手段に識別情報を記憶したり、交換の対象物にバーコードのように印字したり、すればよくこの限りではない。
【００３９】説明の便宜上、交換により交換システムの管理側が得る方の交換の対象物（一例として使用済みのニ次電池）に具備されている識別子を第１識別子、交換により交換システムの管理側が失う方の交換の対象物（一例として充電済みのニ次電池）に具備されている識別子を第２識別子とするが、優劣はなくどちらもそれぞれ固有の識別子である。
【００４０】読込手段は、交換の対象物から情報を読み込める物であればよい。接触型の読込手段、非接触型の読込手段、などの種類があり、ＩＣチップから情報を読み込む読込手段、磁気メモリから情報の読み込みを行う読込手段、半導体メモリから情報の読み込みを行う読込手段、一次元コード（バーコードなど）の情報を読み込むための一次元コードリーダ（バーコードリーダなど）、二次元コード（マトリックスコード、スタックコードなど）の情報を読み込むための２次元コードリーダ（マトリックスコードリーダ、スタックコードリーダ）、などのコードリーダ、などから交換の対象物に応じて最適の物を用いれば良くこの限りではない。
【００４１】書込手段は、交換の対象物の記憶手段に情報の書込みを行える物であればよい。例えば接触型の書込手段、非接触型の書込手段、などの種類があり、ＩＣチップに情報の書込みを行う書込手段、磁気メモリに情報の書込みを行う書込手段、半導体メモリに情報の書込みを行う書込手段、などから交換の対象物に応じて最適の物を用いれば良くこの限りではない。周知の物として例えば、ＩＣライタ、磁気ライタなどがありこの限りではない。
【００４２】交換対象かどうか（交換条件を満たすかどうか）の判別は、例えば、年月日や時刻の管理方法により交換システムが年月日や時刻を管理するようにし、交換システムが管理する年月日や時刻と、抽出した（読み込んだ）利用期限情報と、を処理手段が比較し判別する。例えば、利用期限情報が終了日を含む情報である場合は、終了日と、交換システムが管理する年月日や時刻を比較し終了日を過ぎていないかを判別する、利用期限情報が開始日と日数を関連付けたものである場合は、開始日に日数を加算し、加算したあとの年月日や時刻を終了日として、判別手段が管理する年月日や時刻と比較し終了日を過ぎていないかを判別する。年月日や時刻の管理方法としてはパソコンなどのコンピュータに用いられているようなものや、携帯電話に用いられているようなものなど周知のものから最適のものを用いればよい。
【００４３】処理手段の判別結果の一例として、交換システムの利用場所が日本で、日本の年月日が、令和元年５月３１日の場合で説明する。抽出した（読み込んだ）利用期限情報としての終了日が令和元年６月１日であった場合は交換可能という判別になり、抽出した（読み込んだ）利用期限情報としての終了日が令和元年５月３０日であった場合は交換不可能という判別になり、抽出した（読み込んだ）利用期限情報としての開始日が令和元年５月１日、日数が１０日であった場合は交換不可能という判別になり、抽出した（読み込んだ）利用期限情報としての開始日が令和元年５月１日、日数が４０日であった場合は交換可能という判別になる。ここでは例として年月日のみを用いて説明したが、より細かく時刻までを設定し判別しても良いし、年のみや、月のみや、日のみや、年月のみや、月日のみや、など大まかに設定しても良い。
【実施例１】
【００４４】識別情報を具備した交換の対象物（一例としてニ次電池）と、交換の対象物の情報を読み込む読込手段と、情報を記憶する記憶手段と、情報を処理する処理手段と、から、物品の交換システムを構成する。【００４５】交換処理を行う際には、交換システムの記憶手段に利用期限情報と第１識別情報とを関連付けて記憶した状態にしておく。【００４６】処理手段は読込手段を用いて交換の対象物（一例として使用済みのニ次電池）から第１識別情報を読み込み、読み込んだ第１識別情報を基に、記憶手段から利用期限情報を抽出し、抽出した利用期限情報を基に交換条件を満たすかの判別を行い、交換条件を満たす場合に読込手段を用いて交換の対象物（一例として充電済みのニ次電池）から第２識別情報を読み込み、読み込んだ第２識別情報と抽出した利用期限情報とを関連付けて記憶手段に記憶する処理を行う。【００４７】処理手段の処理（ステップ）の一例について説明する。
（１）読込手段を用いて、交換の対象物（一例として使用済みのニ次電池）から第１識別情報を、読み込む。
（２）読み込んだ第１識別情報を基に、交換システムの記憶手段から利用期限情報を抽出する。
（３）抽出した利用期限情報を基に交換条件を満たすかの判別を行う。
（４）交換条件を満たす場合、読込手段を用いて交換の対象物（一例として充電済みのニ次電池）から第２識別情報を読み込み、読み込んだ第２識別情報と抽出した利用期限情報とを関連付けて交換システムの記憶手段に記憶する。
【実施例２】
【００４８】交換の対象物（一例としてニ次電池）を貸し出す貸出手段と、識別情報を具備した交換の対象物（一例としてニ次電池）と、交換の対象物の情報を読み込む読込手段と、情報を記憶する記憶手段と、情報を処理する処理手段と、から、物品の交換システムを構成する。【００４９】貸出手段は交換の対象物（一例としてニ次電池）を貸し出すことができる物であれば良く、貸出手段は周知の物が多くあり、詳細な説明は省略するが、モバイルバッテリーの貸出サービスに用いられているような貸出手段や、物品を自動で販売する自動販売機を貸出手段として用いればよくこの限りではない。【００５０】契約形態を貸出（貸出手段）としているが販売（販売手段）でもよい。【００５１】モバイルバッテリーの貸出手段を用いる場合、貸出手段に読込手段を具備し、貸し出す際に利用期限情報を設定し、交換の対象物（一例としてニ次電池）から第１識別情報を読み込み、読み込んだ識別情報を設定した利用期限情報と関連付けて交換システムの記憶手段に記憶するようにすることが望ましい。【００５２】自動販売機のような貸出手段で貸し出す場合、新規であることを示す情報を予め交換の対象物（一例としてニ次電池）の記憶手段に記憶しておく。【００５３】処理手段は読込手段を用いて交換の対象物（一例として使用済みのニ次電池）から、交換情報を読み込み、読み込んだ情報が新規であることを示す情報であるか判別する、判別の結果、新規である場合は、利用期限情報を設定し、交換の対象物（一例として充電済みのニ次電池）から第２識別情報を読み込み、利用期限情報と読み込んだ第２識別情報を関連付けて、交換システムの記憶手段に記憶する処理を行う。判別の結果、新規でない場合は、読み込んだ交換情報（第１識別情報）を基に、交換システムの記憶手段から利用期限情報を抽出し、抽出した利用期限情報を基に交換条件を満たすかの判別を行い、交換条件を満たす場合に読込手段を用いて交換の対象物（一例として充電済みのニ次電池）から交換情報（第２識別情報）を読み込み、読み込んだ第２識別情報と抽出した利用期限情報とを関連付けて交換システムの記憶手段に記憶する処理を行う。【００５４】処理手段の処理（ステップ）の一例について説明する。
（１）読込手段を用いて、交換の対象物（一例として使用済みのニ次電池）から交換情報を、読み込む。
（２）読み込んだ交換情報が新規であることを示す情報であるか判別する。
（３）判別の結果、新規である場合は、利用期限情報を設定し、読込手段を用いて交換の対象物（一例として充電済みのニ次電池）から第２識別情報を読み込み、読み込んだ第２識別情報と設定した利用期限情報とを関連付けて交換システムの記憶手段に記憶する。
（４）判別の結果、新規でない場合は、読み込んだ交換情報（第１識別情報）を基に、交換システムの記憶手段から利用期限情報を抽出する。
（３）抽出した利用期限情報を基に交換条件を満たすかの判別を行う。
（５）交換条件を満たす場合、読込手段を用いて交換の対象物（一例として充電済みのニ次電池）から第２識別情報を読み込み、読み込んだ第２識別情報と抽出した利用期限情報とを関連付けて交換システムの記憶手段に記憶する。
【実施例３】
【００５５】交換の対象物を貸し出す貸出手段と、記憶手段を具備した交換の対象物と、交換の対象物の記憶手段の情報を読み込む読込手段と、交換の対象物の記憶手段に情報を書き込む書込手段と、情報を記憶する記憶手段と、情報の処理手段と、から、物品の交換システムを構成する。【００５６】処理手段は、読込手段を用いて交換の対象物（一例として使用済みのニ次電池）の記憶手段から交換情報を読み込み、読み込んだ交換情報を基に新規であるか判別し、判別の結果新規である場合は書込手段を用いて利用期限情報を交換の対象物（一例として充電済みのニ次電池）の記憶手段に書き込む、処理を行う。【００５７】処理手段の処理（ステップ）の一例について説明する。
（１）読込手段を用いて、交換の対象物（一例として使用済みのニ次電池）の記憶手段から交換情報を読み込む。
（２）読み込んだ交換情報が新規であることを示す情報であるか判別する。
（３）判別の結果、新規であることを示す情報であった場合は、利用期限情報を設定し、書込手段を用いて、交換の対象物（一例としてニ次電池）の記憶手段に設定した利用期限情報を記憶する。